(57)【要約】  送信側での軸ずれに対する受信側での光パワーの結合ロスを良好に緩和する。  光路調整部とレンズを持つコネクタ本体を備える。光路調整部は、入射された光に対して入射角を維持しながら径が小さくなるように光路調整をする。レンズは、光路調整された光を集光して受光体に入射する。例えば、光路調整部に入射される光はコリメート光である。また、例えば、光路調整部は中心部分に貫通孔を有する。受光体への光の入射角がＮＡを満たすようにしつつ、レンズの焦点距離を短くでき、送信側での軸ずれに対する受信側での光パワーの結合ロスを緩和し得る。
2020121770.tif 000002
【特許請求の範囲】
【請求項１】
入射された光に対して入射角を維持しながら径が小さくなるように光路調整をする光路調整部と該光路調整部で光路調整された光を集光して受光体に入射するレンズを持つコネクタ本体を備える
光コネクタ。
【請求項２】
上記光路調整部は、中心部分に貫通孔を有する
請求項１に記載の光コネクタ。
【請求項３】
上記光路調整部は、光路変更部を含む
請求項１に記載の光コネクタ。
【請求項４】
上記コネクタ本体は、上記光路調整部を持つ第１の光学部と、上記レンズを持つ第２の光学部とからなる
請求項１に記載の光コネクタ。
【請求項５】
上記受光体は光ファイバであり、
上記コネクタ本体は、上記光ファイバを挿入する挿入孔を有する
請求項１に記載の光コネクタ。
【請求項６】
上記コネクタ本体は、上記挿入孔の底部分に光路を変更するための光路変更部を持ち、上記レンズで集光された光は上記光路変更部で光路変更されて上記光ファイバに入射される
請求項５に記載の光コネクタ。
【請求項７】
上記挿入孔は、上記光ファイバが挿入固定されたフェルールを挿入するための挿入孔である
請求項６に記載の光コネクタ。
【請求項８】
上記受光体は、光信号を電気信号に変換する受光素子である
請求項１に記載の光コネクタ。
【請求項９】
上記受光素子は上記コネクタ本体に接続されており、
上記レンズで集光された光は光路変更されずに上記受光素子に入射される
請求項８に記載の光コネクタ。
【請求項１０】
上記コネクタ本体は光路を変更するための光路変更部を持ち、
上記受光素子は基板に固定されており、
上記レンズで集光された光は上記光路変更部で光路変更されて上記受光素子に入射される
請求項８に記載の光コネクタ。
【請求項１１】
上記光路調整部に入射される光はコリメート光である
請求項１に記載の光コネクタ。
【請求項１２】
上記コネクタ本体は光透過性材料からなり、
上記光路調整部および上記レンズを一体的に持つ
請求項１に記載の光コネクタ。
【請求項１３】
上記コネクタ本体は、上記光路調整部と上記レンズの組み合わせを複数持つ
請求項１に記載の光コネクタ。
【請求項１４】
上記コネクタ本体は凹状の光入射部を持ち、
上記光路調整部は上記光入射部の底部分に位置する
請求項１に記載の光コネクタ。
【請求項１５】
上記コネクタ本体は、前面側に、接続相手側のコネクタとの位置合わせをするための凸状あるいは凹状の位置規制部を一体的に持つ
請求項１に記載の光コネクタ。
【請求項１６】
上記受光体をさらに備える
請求項１に記載の光コネクタ。
【請求項１７】
プラグとしての光コネクタを有する光ケーブルであって、
上記光コネクタは、
入射された光に対して入射角を維持しながら径が小さくなるように光路調整をする光路調整部と該光路調整部で光路調整された光を集光して受光体に入射するレンズを持つコネクタ本体を備える
光ケーブル。
【請求項１８】
レセプタクルとしての光コネクタを有する電子機器であって、
上記光コネクタは、
入射された光に対して入射角を維持しながら径が小さくなるように光路調整をする光路調整部と該光路調整部で光路調整された光を集光して受光体に入射するレンズを持つコネクタ本体を備える
電子機器。
【発明の詳細な説明】
【技術分野】
【０００１】
本技術は、光コネクタ、光ケーブルおよび電子機器に関する。詳しくは、軸ずれに対する光のパワーロスを緩和可能な光コネクタ等に関する。
【背景技術】
【０００２】
従来、光結合方式による光コネクタ、いわゆる光結合コネクタが提案されている（例えば、特許文献１参照）。光結合コネクタは、各光ファイバの先に光軸を合わせてそれぞれレンズを装着し、光信号を対向するレンズ間で平行光として伝送する方式である。この光結合コネクタでは、光ファイバ同士が非接触の状態で光結合されるため、光ファイバ間に侵入したゴミ等による伝送品質への悪影響も抑えられ、頻繁なかつ丁寧なクリーニングは不要になる。
【先行技術文献】
【特許文献】
【０００３】
【特許文献１】国際公開第２０１７/０５６８８９号
【発明の概要】
【発明が解決しようとする課題】
【０００４】
光結合方式の光コネクタにおいては、例えば、光ファイバのコア径がシングルモードのように非常に小さい場合、送信側におけるレンズ光軸と光ファイバ光路のずれ、いわゆる軸ずれが受信側での大きな光パワーの結合ロスに繋がるという問題があった。【０００５】
本技術の目的は、送信側での軸ずれに対する受信側での光パワーの結合ロスを良好に緩和することにある。
【課題を解決するための手段】
【０００６】
本技術の概念は、
入射された光に対して入射角を維持しながら径が小さくなるように光路調整をする光路調整部と該光路調整部で光路調整された光を集光して受光体に入射するレンズを持つコネクタ本体を備える
光コネクタにある。【０００７】
本技術においては、光路調整部とレンズを持つコネクタ本体を備えるものである。ここで、光路調整部では、入射された光に対して入射角を維持しながら径が小さくなるように光路調整がされる。また、レンズでは、光路調整部で光路調整された光が集光されて受光体に入射される。例えば、光路調整部に入射される光はコリメート光である、ようにされてもよい。【０００８】
このように本技術においては、入射された光に対して光路調整部で入射角を維持しながら径が小さくなるように光路調整をし、この光路調整された光をレンズで集光して受光体に入射するものである。そのため、受光体への光の入射角がＮＡを満たすようにしつつ、レンズの焦点距離を短くして、送信側での軸ずれに対する受信側での光パワーの結合ロスを緩和することが可能となる。【０００９】
なお、本技術において、例えば、光路調整部は中心部分に貫通孔を有する、ようにされてもよい。この場合、中心部分の光は、もともと、光路調整部で光路を調整して得られる光の径内に収まっているので、光路調整を行う必要はない。このように光路調整部をその中心部分に貫通孔を有する構成とすることで、中心部分の光に対する光路調整を防止して、光路調整で弾かれてロスとなる光の量を低減することが可能となる。【００１０】
また、本技術において、例えば、光路調整部は、光路変更部を含む、ようにされてもよい。このように光路調整部が光路変更部を含むことで、効率よく光路調整を行うことができ、ロスとなる光の量を低減することが可能となる。【００１１】
また、本技術において、例えば、コネクタ本体は、光路調整部を持つ第１の光学部と、レンズを持つ第２の光学部とからなる、ようにされてもよい。このようにコネクタ本体が第１、第２の光学部からなるようにされることで、光路調整部やレンズの製造などを容易に行うことができる。【００１２】
また、本技術において、例えば、受光体は光ファイバであり、コネクタ本体は、光ファイバを挿入する挿入孔を有する、ようにされてもよい。このようにコネクタ本体が受光体としての光ファイバを挿入する挿入孔を有するようにされることで、光ファイバとレンズとの光軸合わせを容易に行うことができる。【００１３】
この場合、例えば、コネクタ本体は、挿入孔の底部分に光路を変更するための光路変更部を持ち、レンズで集光された光は光路変更部で光路変更されて光ファイバに入射される、ようにされてもよい。このように光路変更部が設けられることで、設計自由度を上げることができる。そして、この場合、挿入孔は、光ファイバが挿入固定されたフェルールを挿入するための挿入孔である、ようにされてもよい。これにより、光ファイバと光路変更部の間の光軸方向の距離を一定に保つことが容易となる。【００１４】
また、本技術において、例えば、受光体は、光信号を電気信号に変換する受光素子である、ようにされてもよい。このように受光体が受光素子とされることで、伝送されてくる光を受光素子に入射する際に、光ファイバが不要となり、コストの低減が可能となる。【００１５】
この場合、例えば、受光素子はコネクタ本体に接続されており、レンズで集光された光は光路変更されずに受光素子に入射される、ようにされてもよい。また、例えば、コネクタ本体は光路を変更するための光路変更部を持ち、受光素子は基板に固定されており、レンズで集光された光は光路変更部で光路変更されて受光素子に入射される、ようにされてもよい。このようにレンズで集光された光を光路変更部で光路変更して基板に固定された受光素子に入射する構成とされることで、実装が容易となり、設計自由度を上げることができる。【００１６】
また、本技術において、例えば、コネクタ本体は光透過性材料からなり、光路調整部およびレンズを一体的に持つ、ようにされてもよい。この場合、コネクタ本体に対する光路調整部およびレンズの位置精度を高めることが可能となる。【００１７】
また、本技術において、例えば、コネクタ本体は、光路調整部およびレンズの組み合わせを複数持つ、ようにされてもよい。このようにコネクタ本体が光路調整部およびレンズの組み合わせを複数持つような構成とされることで、多チャネル化が容易に可能となる。【００１８】
また、本技術において、例えば、コネクタ本体は凹状の光入射部を持ち、光路調整部は光入射部の底部分に位置する、ようにされてもよい。このように光路調整部が光入射部の底部分に位置するようにされることで、光路調整部の表面が相手側のコネクタ等に不用意に当たって傷つくことを防止できる。【００１９】
また、本技術において、例えば、コネクタ本体は、前面側に、接続相手側のコネクタとの位置合わせをするための凸状あるいは凹状の位置規制部を一体的に持つ、ようにされてもよい。これにより、相手側のコネクタとの接続時の光軸合わせが容易となる。【００２０】
また、本技術において、例えば、受光体をさらに備える、ようにされてもよい。このように受光体を備える構成とされることで、受光体を装着する手間を省くことが可能となる。【００２１】
また、本技術の他の概念は、
プラグとしての光コネクタを有する光ケーブルであって、
上記光コネクタは、
入射された光に対して入射角を維持しながら径が小さくなるように光路調整をする光路調整部と該光路調整部で光路調整された光を集光して受光体に入射するレンズを持つコネクタ本体を備える
光ケーブルにある。【００２２】
また、本技術の他の概念は、
レセプタクルとしての光コネクタを有する電子機器であって、
上記光コネクタは、
入射された光に対して入射角を維持しながら径が小さくなるように光路調整をする光路調整部と該光路調整部で光路調整された光を集光して受光体に入射するレンズを持つコネクタ本体を備える
電子機器にある。
【図面の簡単な説明】
【００２３】
【図１】光結合コネクタの概要を示す図である。
【図２】送信側での光軸ずれに対する受信側での光パワーの結合ロスを減らす方法を説明するための図である。
【図３】コリメート光を用いた光結合コネクタにおける、光軸ずれによる光パワーの結合ロスの発生とその低減方法を説明するための図である。
【図４】２つのレンズを用いて光ファイバへの入射光の入射角を制御する方法を説明するための図である。
【図５】２つのレンズを用いる方法における問題を説明するための図である。
【図６】光ファイバのＮＡを満たしつつレンズと光ファイバ間の距離を短くする方法を説明するための図である。
【図７】本技術における受信側光コネクタの原理構成を示す図である。
【図８】光路調整部の機能を説明するための図である。
【図９】実施の形態としての電子機器および光ケーブルの構成例を示す図である。
【図１０】光結合コネクタを構成する送信側光コネクタおよび受信側光コネクタの一例を示す斜視図である。
【図１１】光結合コネクタを構成する送信側光コネクタおよび受信側光コネクタの一例を示す斜視図である。
【図１２】コネクタ本体を構成する第１の光学部と第２の光学部を分離した状態を示す斜視図である。
【図１３】コネクタ本体を構成する第１の光学部と第２の光学部を分離した状態を示す斜視図である。
【図１４】送信側光コネクタの一例を示す断面図である。
【図１５】受信側光コネクタの一例を示す断面図である。
【図１６】送信側光コネクタおよび受信側光コネクタを接続した状態の一例を示す断面図である。
【図１７】光の結合効率のシミュレーションのための受信側光コネクタの構成の一例を示す図である。
【図１８】光の結合効率のシミュレーション結果の一例を示すグラフである。
【図１９】光路調整部の変形例（ミラー含まず）を示す図である。
【図２０】光路調整部の変形例（ミラー含まず）を示す図である。
【図２１】光路調整部の変形例（ミラー含む）を示す図である。
【図２２】光路調整部の変形例（ミラー含む）を示す図である。
【図２３】他の構成例１としての受信側光コネクタを示す断面図である。
【図２４】他の構成例２としての受信側光コネクタを示す断面図である。
【図２５】他の構成例３としての受信側光コネクタを示す断面図である。
【図２６】他の構成例４としての受信側光コネクタを示す断面図である。
【図２７】収束光（集光方向に曲げられた光）を用いた光結合コネクタにおける、光軸ずれによる光パワーの結合ロスの発生とその低減方法を説明するための図である。
【発明を実施するための形態】
【００２４】
以下、発明を実施するための形態（以下、「実施の形態」とする）について説明する。なお、説明は以下の順序で行う。
１．実施の形態
２．変形例
【００２５】
＜１．実施の形態＞
［本技術の基本説明］
まず、本技術に関する技術についての説明をする。図１は、光結合方式の光コネクタ（以下、「光結合コネクタ」という）の概要を示している。この光結合コネクタは、送信側光コネクタ１０と受信側光コネクタ２０で構成されている。
【００２６】
送信側光コネクタ１０は、レンズ１１を持つコネクタ本体１２を有している。受信側光コネクタ２０は、レンズ２１を持つコネクタ本体２２を有している。送信側光コネクタ１０と受信側光コネクタ２０の接続時には、図示のように、レンズ１１とレンズ２１が対向し、かつ、それぞれの光軸が一致した状態とされる。
【００２７】
送信側において、光ファイバ１５は、その出射端がレンズ１１の光軸上の焦点位置に位置するように、コネクタ本体１２に取り付けられる。また、受信側において、光ファイバ２５は、その入射端がレンズ２１の光軸上の焦点位置に位置するように、コネクタ本体２２に取り付けられる。
【００２８】
送信側の光ファイバ１５から出射された光はコネクタ本体１２を介してレンズ１１に入射され、レンズ１１からはコリメート光に成形された光が出射される。このようにコリメート光に成形された光はレンズ２１に入射されて集光され、コネクタ本体２２を介して受信側の光ファイバ２５の入射端に入射される。これにより、送信側の光ファイバ１５から受信側の光ファイバ２５への光（光信号）の伝送が行われる。
【００２９】
図１に示すような光結合コネクタにおいて、光ファイバのコア径がシングルモードといった８μｍφ程度と非常に小さい場合、送信側でのレンズ光軸に対する光ファイバ光路のずれ（光軸ずれ）が、受信側での光パワーの結合ロスに大きく効いてくる。そのため、この光結合コネクタの場合、送信側での軸ずれを抑えるために、高い部品の精度が必要となり、コストアップとなる。
【００３０】
送信側での光軸ずれに対する受信側での光パワーの結合ロスを減らす方法として、受信側のレンズ２１の焦点距離を短くして、このレンズ２１から集光ポイント、つまり受信側の光ファイバ２５の入射端までの距離を短くすることが考えられる。
【００３１】
送信側の光源Ｐから受信側の集光ポイントＱに光を伝送するとして説明する。図２（ａ）は、受信側において、レンズ２１から集光ポイントＱまでの距離を短くしていない状態を示している。この場合、送信側の光源Ｐの位置がＰ´までＡだけずれたとき、受信側の集光ポイントＱの位置はＱ´までＹだけずれる。
【００３２】
図２（ｂ）は、受信側において、レンズ２１の曲率を大きくして焦点距離を短くし、レンズ２１から集光ポイントＱまでの距離を短くした状態を示している。この場合、送信側の光源Ｐの位置がＰ´までＡだけずれたとき、受信側の集光ポイントＱの位置はＱ´までＹ´だけずれるが、Ｙ´はＹより小さくなる。
【００３３】
以下の数式（１）は、光源Ｐと集光ポイントＱの関係を一般的に表している。ここで、Ａは光源Ｐの位置ずれ量、Ｂは光源Ｐからレンズ１１までの距離、Ｘはレンズ１２から集光ポイントＱまでの距離、Ｙは集光ポイントＱの位置ずれ量、である。この数式（１）から、Ａが一定の場合、Ｘを短くすることでＹを減らせることが分かる。例えば、ＸがＸ´と短くなると、ＹはＹ´と短くなる。
Ｙ/Ａ＝Ｘ/Ｂ      ・・・（１）
【００３４】
図２（ａ），（ｂ）で説明した理論を、コリメート光を用いた光結合コネクタで考えてみる。図３（ａ）のように、送信側の光ファイバ１５から出射される光を光源とした場合、その光源の位置がずれると、受信側の集光ポイントも大きくずれる（破線参照）。これは、レンズ１１でコリメートされるはずの光が崩れて光軸に対して平行光とならず、受信側では斜めにレンズ２１に入力されて集光ポイントがずれるためである。
【００３５】
しかし、図３（ｂ）に示すように、受信側のレンズ２１と光ファイバ２５との間の距離が短い場合、光源の位置がずれても、図３（ａ）の場合に比べて、集光ポイントのずれ量は少なくなる（破線参照）。このとき、受信側のレンズ２１の曲率は図３（ｂ）の方が図３（ａ）の場合に比べて大きくなり、受信側のレンズ２１から光ファイバ２５の入射端に入射される光の入射角は、図３（ｂ）の方が図３（ａ）の場合に比べて急峻になる。
【００３６】
図３（ｂ）に示すように受信側のレンズ２１と光ファイバ２５との間の距離を短くすれば、送信側の光源の位置ずれに対する受信側の集光ポイントの位置ずれを小さくできるが、コリメート口径が一定であれば、光ファイバ２５への入射角が広がることになる。このとき、光ファイバ２５のＮＡ以上の入射角で入ってきた光は光ファイバ２５内へ伝送できずにロスとなる。従って、受信側のレンズ２１と光ファイバ２５との間の距離を短くしすぎても、光パワーの結合ロスが増加してしまう。
【００３７】
そこで、図４（ｂ）に示すように、第１のレンズ２１Ａおよび第２のレンズ２１Ｂの２つのレンズを用いることで、光ファイバ２５へ入射する光の入射角を制御する方法が考えられる。これは、第１のレンズ２１Ａでコリメート光を光ファイバ２５のＮＡ以上の角度で集光し、第２のレンズ２１Ｂで光ファイバ２５のＮＡを満たす角度に入射角を変換して光ファイバ２５に入射することで、第１のレンズ２１Ａから光ファイバ２５までの距離を短くする方法である。なお、図４（ａ）は、図３（ａ）の受信側と同様の受信側を示している。
【００３８】
しかし、図４（ｂ）に示すように２つのレンズを用いる方法には問題がある。図５（ａ）は、図４（ｂ）と同じ図である。図５（ｂ）は、図５（ａ）を拡大して示した図である。第２のレンズ２１Ｂに着目すると、入射される光の入射角よりも出射角を狭める目的で設置しているため、入射側の距離Ｂよりも出射側の距離Ｘの方が長くなる。
【００３９】
その結果、上述の数式（１）の通り、光源側の位置変動量Ａに対して集光ポイントの位置変動量Ｙが大きくなる。よって、第１のレンズ２１Ａから光ファイバ２５までの距離を短くできたとしても、集光ポイントの位置変動量は大きいままとなり。２つのレンズを用いたことによる効果は薄い。
【００４０】
光ファイバのＮＡを満たしつつレンズと光ファイバ間の距離を短くする方法として、図６（ａ）から図６（ｂ）に示すように、送信側光コネクタから入射されるコリメート光の径を小さくする方法が考えられる。この場合、コリメート光の中に埃や塵等のダストが混入した場合、コリメート光の径が小さいとダストの影響が大きくなって通信品質を保ちにくくなるが、コリメート光の径が大きいほど、ダストが混入しても通信パワーを保ちやすくなる。よって、光通信ではコリメート光の径がある程度の大きさを持つ方が望ましいが、その場合ＮＡを満たすためにレンズ２１と光ファイバ２５との間の距離は長くなり、光軸ずれによる集光ポイントのずれ量を小さくすることは困難になる。
【００４１】
図７は、本技術における受信側光コネクタ３００Ｒの原理構成を示している。この受信側光コネクタ３００Ｒにおいては、レンズ２１の前面側に、光路調整部２６が配置される。この光路調整部２６は、入射された光に対して入射角を維持しながら径が小さくなるように光路調整をするものである。この場合、入射された光の外周側の光は、光路調整部２６により内周側に平行移動され、その結果として径が小さくされる。
【００４２】
図８は、光路調整部２６を拡大して示している。この場合、入射面は第１の面２６ａと第２の面２６ｂとが径方向に交互に配置されて階段状となっている。第１の面２６ａは、出射面２６ｃと平行となっている。そのため、第１の面２６ａに入射された光は、図示の経路を持って、内周側に平行移動されて出射される。
【００４３】
図７に示すように、入力コリメート光の径はＡであるが、光路調整部２６により光路調整がされて、レンズ２１に入射するコリメート光の径はＢ（＜Ａ）となり、レンズ２１を透過した後の光の光ファイバ２５への入射角を狭めることができる。そのため、ＮＡを満たしたまま、レンズ２１の曲率を上げることでレンズ２１と光ファイバ２５との間の距離を短くでき、送信側の光軸ずれに対する受信側の集光ポイントのずれを小さくして、光パワーの結合ロスを良好に緩和できる。
【００４４】
この場合、コリメート光の段階で径を狭めるものであり、その結果、図４（ｂ）に示すように２つのレンズを使わずにレンズと光ファイバの間の距離を短くでき、かつコネクタに入力されるコリメート光の径も大きく保つことができるため、ダストにも強い構成となる。
【００４５】
［電子機器および光ケーブルの構成例］
図９は、実施の形態としての電子機器１００および光ケーブル２００Ａ，２００Ｂの構成例を示している。電子機器１００は、光通信部１０１を備えている。光通信部１０１は、発光部１０２、光伝送路１０３、レセプタクルとしての送信側光コネクタ３００Ｔ、レセプタクルとしての受信側光コネクタ３００Ｒ、光伝送路１０４および受光部１０５を備えている。光伝送路１０３および光伝送路１０４は、それぞれ、光ファイバによって実現することができる。
【００４６】
発光部１０２は、ＶＣＳＥＬ（Vertical Cavity Surface Emitting LASER）等のレーザー素子、またはＬＥＤ（light emitting diode）等の発光素子を備えている。発光部１０２は、電子機器１００の図示しない送信回路で発生される電気信号（送信信号）を光信号に変換する。発光部１０２で発光された光信号は、光伝送路１０３を介して、送信側光コネクタ３００Ｔに送られる。ここで、発光部１０２、光伝送路１０３および送信側光コネクタ３００Ｔにより、光送信器が構成されている。
【００４７】
受信側光コネクタ３００Ｒで受信された光信号は、光伝送路１０４を介して、受光部１０５に送られる。受光部１０５は、フォトダイオード等の受光素子を備えている。受光部１０５は、受信側光コネクタ３００Ｒから送られてくる光信号を電気信号（受信信号）に変換し、電子機器１００の図示しない受信回路に供給する。ここで、受信側光コネクタ３００Ｒ、光伝送路１０４および受光部１０５により、光受信器が構成されている。
【００４８】
光ケーブル２００Ａは、プラグとしての受信側光コネクタ３００Ｒおよびケーブル本体２０１Ａを備えている。光ケーブル２００Ａは、電子機器１００からの光信号を他の電子機器に伝送する。ケーブル本体２０１Ａは光ファイバによって実現することができる。
【００４９】
光ケーブル２００Ａの一端は受信側光コネクタ３００Ｒにより電子機器１００の送信側光コネクタ３００Ｔに接続され、その他端は図示しないが他の電子機器に接続されている。この場合、互いに接続される送信側光コネクタ３００Ｔおよび受信側光コネクタ３００Ｒにより、光結合コネクタが構成されている。
【００５０】
光ケーブル２００Ｂは、プラグとしての送信側光コネクタ３００Ｔおよびケーブル本体２０１Ｂを備えている。光ケーブル２００Ｂは、他の電子機器からの光信号を電子機器１００に伝送する。ケーブル本体２０１Ｂは光ファイバによって実現することができる。
【００５１】
光ケーブル２００Ｂの一端は送信側光コネクタ３００Ｔにより電子機器１００の受信側光コネクタ３００Ｒに接続され、その他端は図示しないが他の電子機器に接続されている。この場合、互いに接続される送信側光コネクタ３００Ｔおよび受信側光コネクタ３００Ｒにより、光結合コネクタが構成されている。
【００５２】
なお、電子機器１００は、例えば、携帯電話、スマートフォン、ＰＨＳ、ＰＤＡ、タブレットＰＣ、ラップトップコンピュータ、ビデオカメラ、ＩＣレコーダ、携帯メディアプレーヤ、電子手帳、電子辞書、電卓、携帯ゲーム機等のモバイル電子機器や、デスクトップコンピュータ、ディスプレイ装置、テレビ受信機、ラジオ受信機、ビデオレコーダ、プリンタ、カーナビゲーションシステム、ゲーム機、ルータ、ハブ、光回線終端装置（ＯＮＵ）等の他の電子機器であることができる。あるいは、電子機器１００は、冷蔵庫、洗濯機、時計、インターホン、空調設備、加湿器、空気清浄器、照明器具、調理器具等の電気製品または後述するような車両の一部または全部を構成することができる。
【００５３】
［光コネクタの構成例］
図１０は、光結合コネクタを構成する送信側光コネクタ３００Ｔおよび受信側光コネクタ３００Ｒの一例を示す斜視図である。図１１も、送信側光コネクタ３００Ｔおよび受信側光コネクタ３００Ｒの一例を示す斜視図であるが、図１０とは逆の方向から見た図である。図示の例は、複数チャネルの光信号の並行伝送に対応したものである。なお、ここでは、複数チャネルの光信号の並行伝送に対応したものを示しているが、詳細説明は省略するが、１チャネルの光信号の伝送に対応するものも同様に構成できる。
【００５４】
送信側光コネクタ３００Ｔは、外観が略直方体状のコネクタ本体３１１を備えている。コネクタ本体３１１の背面側には、各チャネルにそれぞれ対応した複数の光ファイバ３３０が水平方向に並んだ状態で接続されている。この場合、各光ファイバ３３０は、その先端側が光ファイバ挿入孔３２０に挿入されて固定されている。ここで、光ファイバ３３０は、発光体を構成している。また、コネクタ本体３１１の上面側には長方形の開口部を持つ接着剤注入孔３１４が形成されている。この接着剤注入孔３１４から、光ファイバ３３０をコネクタ本体３１１に固定するための接着剤が挿入される。
【００５５】
また、コネクタ本体３１１の前面側には、長方形の開口部を持つ凹状の光出射部（光伝達空間）３１５が形成されており、その光出射部３１５の底部分に、各チャネルにそれぞれ対応して複数のレンズ（凸レンズ）３１６が水平方向に並んだ状態で形成されている。これにより、レンズ３１６の表面が相手側のコネクタ等に不用意に当たって傷つくことが防止される。
【００５６】
また、コネクタ本体３１１の前面側には、受信側光コネクタ３００Ｒとの位置合わせをするための凸状または凹状、図示の例では凸状の位置規制部３１７が一体的に形成されている。これにより、受信側光コネクタ３００Ｒとの接続時の光軸合わせを容易に行い得るようになる。なお、この位置規制部３１７は、コネクタ本体３１１に一体的に形成されるものに限定されるものではなく、ピンを用いても良いし、他の手法で行うものであってもよい。
【００５７】
受信側光コネクタ３００Ｒは、外観が略直方体状のコネクタ本体３５１を備えている。コネクタ本体３５１は、第１の光学部３５２および第２の光学部３５３が接続されて構成されている。このようにコネクタ本体３５１が第１、第２の光学部３５２，３５３から構成されることで、図１０、図１１には図示されていないが、コネクタ本体３５１が持つレンズの製造などを容易に行うことができる。
【００５８】
第１の光学部３５２の前面側には、長方形の開口部を持つ凹状の光入射部（光伝達空間）３５４が形成されており、その光入射部３５４の底部分に、各チャネルにそれぞれ対応して複数の光路調整部３５５が水平方向に並んだ状態で形成されている。これにより、光路調整部３５５の表面が相手側のコネクタ等に不用意に当たって傷つくことが防止される。
【００５９】
また、第１の光学部３５２の前面側には、送信側光コネクタ３００Ｔとの位置合わせをするための凸状または凹状、図示の例では凹状の位置規制部３５６が一体的に形成されている。これにより、送信側光コネクタ３００Ｔとの接続時の光軸合わせを容易に行い得るようになる。なお、この位置規制部３５６は、第１の光学部３５２に一体的に形成されるものに限定されるものではなく、ピンを用いても良いし、他の手法で行うものであってもよい。
【００６０】
第２の光学部３５３の背面側には、各チャネルにそれぞれ対応した複数の光ファイバ３７０が水平方向に並んだ状態で接続されている。この場合、各光ファイバ３７０は、その先端側が光ファイバ挿入孔３５７に挿入されて固定されている。ここで、光ファイバ３７０は、受光体を構成している。また、第２の光学部３５３の上面側には長方形の開口部を持つ接着剤注入孔３５８が形成されている。この接着剤注入孔３５８から、光ファイバ３７０を第２の光学部３５３に固定するための接着剤が挿入される。
【００６１】
図１２および図１３は、コネクタ本体３５１を構成する第１の光学部３５２と第２の光学部３５３を分離した状態を示す斜視図である。図７と図８は、それぞれ反対方向から見た図である。第２の光学部３５３の前面側には、長方形の開口部を持つ凹状の空間３５９が形成されており、その空間３５９の底部分に、各チャネルにそれぞれ対応して複数のレンズ３６０が水平方向に並んだ状態で形成されている。また、第１の光学部３５２の背面側には、各チャネルの光路調整部３５５を通過した光が出射される円形の開口部３６１が形成されている。
【００６２】
図１４は、送信側光コネクタ３００Ｔの一例を示す断面図である。図示の例では、位置規制部３１７（図１０、図１１参照）の図示を省略している。この図１４を参照して、送信側光コネクタ３００Ｔについてさらに説明する。
【００６３】
送信側光コネクタ３００Ｔは、コネクタ本体３１１を備えている。コネクタ本体３１１は、例えば合成樹脂またはガラスなどの光透過性材料、あるいは特定の波長を透過するシリコン等の材料からなり、レンズ付きフェルールの構成となっている。
【００６４】
コネクタ本体３１１には、その前面側に、凹状の光出射部（光伝達空間）３１５が形成されている。そして、このコネクタ本体３１１には、この光出射部３１５の底部分に位置するように、各チャネルに対応した複数のレンズ（凸レンズ）３１６が水平方向に並んだ状態で一体的に形成されている。これにより、コネクタ本体３１１に対するレンズ３１６の位置精度を高めることができる。
【００６５】
また、コネクタ本体３１１には、背面側から前方に延びる光ファイバ挿入孔３２０が、各チャネルのレンズ３１６に合わせて、水平方向に並んだ状態で複数設けられている。光ファイバ３３０は、光路となる中心部のコア３３１と、その周囲を覆うクラッド３３２の二重構造となっている。
【００６６】
各チャネルの光ファイバ挿入孔３２０は、そこに挿入される光ファイバ３３０のコア３３１と対応するレンズ３１６の光軸が一致するように、成形されている。また、各チャネルの光ファイバ挿入孔３２０は、その底位置、つまり光ファイバ３３０を挿入した際に、その先端（入射端）の当接位置がレンズ３１６の焦点位置と合致するように、成形されている。
【００６７】
また、コネクタ本体３１１には、上面側から下方に延びる接着剤注入孔３１４が、水平方向に並んだ状態にある複数の光ファイバ挿入孔３２０の底位置付近に連通するように、形成されている。光ファイバ３３０が光ファイバ挿入孔３２０に挿入された後、接着剤注入孔３１４から接着剤３２１が光ファイバ３３０の周囲に注入されることで、光ファイバ３３０はコネクタ本体３１１に固定される。
【００６８】
送信側光コネクタ３００Ｔにおいて、レンズ３１６は、入射される光をコリメート光に成形する機能を持つ。これにより、光ファイバ３３０の出射端から所定のＮＡで出射された光はレンズ３１６に入射されてコリメート光に成形されて出射される。
【００６９】
図１５は、受信側光コネクタ３００Ｒの一例を示す断面図である。図示の例では、位置規制部３５６（図１１参照）の図示を省略している。この図１５を参照して、受信側光コネクタ３００Ｒについてさらに説明する。
【００７０】
受信側光コネクタ３００Ｒは、第１の光学部３５２と第２の光学部３５３が接続されて構成されたコネクタ本体３５１を備えている。第１の光学部３５２は、例えば合成樹脂またはガラスなどの光透過性材料、あるいは特定の波長を透過するシリコン等の材料からなっている。
【００７１】
第１の光学部３５２には、その前面側に、凹状の光入射部（光伝達空間）３５４が形成されている。そして、この第１の光学部３５２には、この光入射部３５４の底部分に位置するように、各チャネルに対応した複数の光路調整部３５５が水平方向に並んだ状態で一体的に形成されている。これにより、第１の光学部３５２に対する光路調整部３５５の位置を、複数チャネルにおいて全部同時に調整することが可能となる。また、第１の光学部３５２には、その背面側に、各チャネルの光路調整部３５５を通過した光が出射される円形の開口部３６１が形成されている。
【００７２】
光路調整部３５５は、上述の図７における光路調整部２６に対応するものである。この光路調整部３５５は、入射された光（コリメート光）に対して入射角を維持しながら径が小さくなるように光路調整をする。この場合、入射された光の外周側の光は、光路調整部３５５により内周側に平行移動され、その結果として径が小さくされる。
【００７３】
ここで、図示の光路調整部３５５は、中心部分に貫通孔３６３を有する構成となっている。この場合、中心部分の光は、もともと、光路調整部３５５で光路を調整して得られる光の径内に収まっているので、光路調整を行う必要はない。このように光路調整部３５５をその中心部分に貫通孔３６３を有する構成とすることで、中心部分の光に対する光路調整を防止して、光路調整で弾かれてロスとなる光の量を低減できる。
【００７４】
第２の光学部３５３は、例えば合成樹脂またはガラスなどの光透過性材料、あるいは特定の波長を透過するシリコン等の材料からなり、レンズ付きフェルールの構成となっている。このようにレンズ付きフェルールの構成とされることで、光ファイバ３７０とレンズ３６０との光軸合わせを容易に行うことができる。また、このように第２の光学部３５３がレンズ付きフェルールの構成とされることで、多チャネルの場合でも、光ファイバ３７０をフェルールに挿入するだけで、多チャネル通信を容易に実現できる。
【００７５】
第２の光学部３５３は、第１の光学部３５２と接続されてコネクタ本体３５１を構成するものである。熱膨張係数を揃えた方が、熱が変化した際の２つの光学部での歪による光路ずれが抑えられるため、第２の光学部３５３の材料は第１の光学部３５２の材料と同一であることが好ましいが、別材料であってもよい。
【００７６】
第２の光学部３５３には、その正面側に、長方形の開口部を持つ凹状の空間３５９が形成されており、その空間３５９の底部分に、各チャネルにそれぞれ対応して複数のレンズ３６０が水平方向に並んだ状態で一体的に形成されている。これにより、第２の光学部３５３に設置される光ファイバ３７０のコア３７１に対するレンズ３６０の位置精度を、複数チャネルにおいて全部同時に高めることが可能となる。
【００７７】
また、第２の光学部３５３には、背面側から前方に延びる光ファイバ挿入孔３５７が、各チャネルのレンズ３６０に合わせて、水平方向に並んだ状態で複数設けられている。光ファイバ３７０は、光路となる中心部のコア３７１と、その周囲を覆うクラッド３７２の二重構造となっている。
【００７８】
各チャネルの光ファイバ挿入孔３５７は、そこに挿入される光ファイバ３７０のコア３７１と、それに対応するレンズ３６０の光軸が一致するように、成形されている。また、各チャネルの光ファイバ挿入孔３５７は、その底位置、つまり光ファイバ３７０を挿入した際に、その先端（出射端）の当接位置がレンズ３６０の焦点位置と合致するように、成形されている。
【００７９】
また、第２の光学部３５３には、上面側から下方に延びる接着剤注入孔３５８が、水平方向に並んだ状態にある複数の光ファイバ挿入孔３５７の底位置付近に連通するように、形成されている。光ファイバ３７０が光ファイバ挿入孔３５７に挿入された後、接着剤注入孔３５８から接着剤３６２が光ファイバ３７０の周囲に注入されることで、光ファイバ３７０は第２の光学部３５３に固定される。
【００８０】
ここで、光ファイバ３７０の先端と光ファイバ挿入孔３５７の底位置との間に空気層が存在すると、レンズ３６０から出射された光はその底位置で反射し易くなり、信号品質の低下が発生する。そのため、接着剤３６２は、光透過剤であって、光ファイバ３７０の先端と光ファイバ挿入孔３５７の底位置との間に注入される方が望ましく、これにより反射を低減することができる。
【００８１】
上述したように、第１の光学部３５２と第２の光学部３５３が接続されてコネクタ本体３５１が構成される。この接続方法として、ボスのような一方に凹部、もう一方に凸部を新に設けて嵌合する方法、あるいは画像処理システム等でレンズどうしの光軸位置を合わせて接着固定する方法等を採り得る。
【００８２】
受信側光コネクタ３００Ｒにおいて、光路調整部３５５は、入射された光に対して入射角を維持しながら径が小さくなるように光路調整をする機能を持つ。レンズ３６０は、光路調整部３５５で光路調整された光を集光する機能を持つ。これにより、入射されたコリメート光は光路調整部３５５に入力されて、入射角を維持しながら径が小さくなるように光路調整される。そして、この光路調整された光は、レンズ３６０に入射されて集光され、この集光された光は、受光体である光ファイバ３７０の入射端に所定のＮＡで入射される。
【００８３】
図１６は、光結合コネクタを構成する送信側光コネクタ３００Ｔおよび受信側光コネクタ３００Ｒの断面図を示している。図示の例では、送信側光コネクタ３００Ｔと受信側光コネクタ３００Ｒが接続された状態を示している。
【００８４】
送信側光コネクタ３００Ｔにおいて、光ファイバ３３０を通じて送られてくる光はこの光ファイバ３３０の出射端から所定のＮＡで出射される。この出射された光はレンズ３１６に入射されてコリメート光に成形され、受信側光コネクタ３００Ｒに向かって出射される。
【００８５】
また、受信側光コネクタ３００Ｒにおいて、送信側光コネクタ３００Ｔから出射された光（コリメート光）は、光路調整部３５５に入射され、入射角を維持しながら径が小さくなるように光路調整される。この光路調整された光は、レンズ３６０に入射されて集光される。そして、この集光された光は、光ファイバ３７０の入射端に入射され、光ファイバ３７０を通じて送られていく。
【００８６】
上述したように構成される光結合コネクタにおいて、受信側光コネクタ３００Ｒは、入射された光に対して光路調整部３５５で入射角を維持しながら径が小さくなるように光路調整をし、この光路調整された光をレンズ３６０で集光して受光体である光ファイバ３７０に入射するものである。そのため、光ファイバ３７０への光の入射角がＮＡを満たすようにしつつ、レンズ３６０の焦点距離を短くして、送信側での軸ずれに対する受信側での光パワーの結合ロスを緩和することが可能となる。ここで、レンズ３６０の焦点距離を短くすることで、レンズ３６０から集光ポイントまでの距離を短くでき、送信側での軸ずれに対する受信側の集光ポイントのずれが抑制される。
【００８７】
本技術による効果のシミュレーション結果について説明する。ここでは、光ファイバのモードフィールド径（ＭＦＤ：Mode Field Diameter）は８μｍとし、光ファイバのＮＡが０．１５の光学系を用いている。図１７（ａ）は、コリメート径が１８０μｍと大きく、レンズの焦点距離が０．９ｍｍと長い場合の例を示している。図１７（ｂ）は、コリメート径を９０μｍと小さくして、レンズの焦点距離を０．４８ｍｍと短くした場合の例を示している。
【００８８】
図１８のグラフは、受信側の光ファイバへ入力される光の結合効率のシミュレーション結果を示している。横軸は軸ずれ量で、光軸に対して垂直方向に光源がずれた場合のずれ量を示し、縦軸は受信側での光の結合効率を示している。実線（ａ）は、図１７（ａ）の例における軸ずれ量と結合効率の関係を示している。実線（ｂ）は、図１７（ｂ）の例における軸ずれ量と結合効率の関係を示している。
【００８９】
光ファイバのＭＦＤが８μｍであるため、例えば、軸ずれが５μｍになると、図１７（ａ）の例の場合には実線（ａ）から７．５割程度のパワーロスが発生する。しかし、図１７（ｂ）の例の場合には実線（ｂ）からパワーロスは１割程度となり、パワーロスが大幅に減少されている。
【００９０】
なお、本明細書に記載された効果はあくまで例示であって限定されるものではなく、また付加的な効果があってもよい。
【００９１】
図１９（ａ）〜（ｅ）、図２０（ａ）〜（ｅ）、図２１（ａ）〜（ｅ）、図２２（ａ）〜（ｅ）は、光路調整部３５５の変形例を示している。これらの変形例においても、光路調整部３５５は、入射光に対して入射角を維持しながら径が小さくなるように光路調整を行うことができる。なお、図２１（ａ）〜（ｅ）、図２２（ａ）〜（ｅ）の変形例においては、光路調整部３５５はミラー３６５を含んでいる。光路調整部３５５がミラー３６５を含むことで、効率よく光路調整を行うことができ、ロスとなる光の量を低減することが可能となる。
【００９２】
［受信側光コネクタの他の構成例］
受信側光コネクタの構成としては、上述した受信側光コネクタ３００Ｒ（図１５参照）の他にも種々の構成が考えられる。
【００９３】
「他の構成例１」
図２３は、他の構成例１としての受信側光コネクタ３００Ｒ-1を示す断面図である。この図２３において、図１５と対応する部分には同一符号を付し、適宜、その詳細説明は省略する。受信側光コネクタ３００Ｒ-1においては、第２の光学部３５３に固定される受光体は、光ファイバ３７０ではなく、ＰＤ（Photodiode）などの受光素子３８０である。
【００９４】
この場合、受光素子３８０は、第２の光学部３５３の背面側に、各チャネルのレンズ３６０に合わせて、水平方向に並んだ状態で複数固定される。そして、この場合、各チャネルの受光素子３８０は、その入射部が対応するレンズ３６０の光軸に一致するように、固定される。また、この場合、各チャネルの受光素子３８０の入射部がそれぞれ対応するレンズ３６０の焦点位置と合致するように、第２の光学部３５３の光軸方向の厚み等が設定されている。
【００９５】
この受信側光コネクタ３００Ｒ-1においては、入射されたコリメート光は光路調整部３５５に入力されて、入射角を維持しながら径が小さくなるように光路調整される。そして、この光路調整された光は、レンズ３６０に入射されて集光され、この集光された光は、受光体である受光素子３８０の入射部（受光部）に入射される。
【００９６】
このように第２の光学部３５３に受光素子３８０が固定される構成とすることで、伝送されてくる光を受光素子３８０に入射する際に、光ファイバが不要となり、コストの低減が可能となる。
【００９７】
「他の構成例２」
図２４は、他の構成例２としての受信側光コネクタ３００Ｒ-2を示す断面図である。この図２４において、図１５、図２３と対応する部分には同一符号を付し、適宜、その詳細説明は省略する。送信側光コネクタ３００Ｒ-2においては、コネクタ本体３５１の下面側に、受光素子３８０が載置された基板３８１が固定される。この場合、基板３８１には、受光素子３８０が、各チャネルのレンズ３６０に合わせて、水平方向に並んだ状態で複数載置されている。
【００９８】
第２の光学部３５３には、下面側から上方に延びる受光素子配置用孔３６６が形成されている。そして、各チャネルのレンズ３６０で集光された光の光路をそれぞれ対応する受光素子３８０の方向に変更するために、受光素子配置用孔３６６の底部分は傾斜面とされ、この傾斜面にミラー３８２が配置されている。なお、ミラー３８２に関しては、別個に生成されたものを傾斜面に固定するだけでなく、傾斜面に蒸着等で形成することも考えられる。
【００９９】
ここで、基板３８１は、各チャネルの受光素子３８０の入射部がそれぞれ対応するレンズ３６０の光軸に一致するように、位置が調整されて固定される。また、この場合、各チャネルの受光素子３８０の入射部がそれぞれ対応するレンズ３６０の焦点位置と合致するように、レンズ３６０の形成位置、受光素子配置用孔３６６の形成位置・長さ等が設定されている。
【０１００】
この受信側光コネクタ３００Ｒ-2においては、入射されたコリメート光は光路調整部３５５に入力されて、入射角を維持しながら径が小さくなるように光路調整される。そして、この光路調整された光は、レンズ３６０に入射されて集光され、この集光された光は、ミラー３８２で光路変更された後に受光素子３８０の入射部（受光部）に入射される。
【０１０１】
このようにコネクタ本体３５１に受光素子３８０が載置された基板３８１が固定されることで、受光素子３８０に光信号を伝送する際に、光ファイバが不要となり、コストの低減が可能となる。また、レンズ３６０で集光された光をミラー３８２で光路変更して受光素子３８０に入射する構成とされることで、実装が容易となり、設計自由度を上げることができる。
【０１０２】
「他の構成例３」
図２５は、他の構成例３としての受信側光コネクタ３００Ｒ-3を示す断面図である。この図２５において、図１５、図２４と対応する部分には同一符号を付し、適宜、その詳細説明は省略する。送信側光コネクタ３００Ｒ-3においては、第２の光学部３５３には、下面側から上方に延びる光ファイバ挿入孔３６７が、各チャネルのレンズ３６０に合わせて、水平方向に並んだ状態で複数形成されている。
【０１０３】
各チャネルのレンズ３６０で集光された光をそれぞれ対応する光ファイバ３７０の方向に変更するために、各光ファイバ挿入孔３６７の底部分は傾斜面とされ、この傾斜面にミラー３８２が配置されている。また、各光ファイバ挿入孔３６７は、そこに挿入される光ファイバ３７０のコア３７１と、それに対応するレンズ３６０の光軸が一致するように、成形されている。
【０１０４】
各光ファイバ挿入孔３６７には、それぞれ対応するチャネルの光ファイバ３７０が挿入され、例えば図示しない接着剤が光ファイバ３７０の周囲に注入されることで固定される。この場合、光ファイバ３７０は、その先端（入射端）が対応するレンズ３６０の焦点位置と合致するように、従って、その先端（入射端）がミラー３８２から一定距離に位置するように、その挿入位置が設定される。
【０１０５】
この受信側光コネクタ３００Ｒ-3においては、入射されたコリメート光は光路調整部３５５に入力されて、入射角を維持しながら径が小さくなるように光路調整される。そして、この光路調整された光は、レンズ３６０に入射されて集光され、この集光された光は、ミラー３８２で光路変更された後に、光ファイバ３７０の入射端に所定のＮＡで入射される。
【０１０６】
この構成例の場合、第２の光学部３５３がレンズ付きフェルールの構成とされているので、光ファイバ３７０とレンズ３６０との光軸合わせを容易に行うことができる。また、この構成例の場合、光ファイバ３７０への光の光路をミラー３８２で変更する構成であることから、実装が容易となり、設計自由度を上げることができる。
【０１０７】
「他の構成例４」
図２６は、他の構成例４としての受信側光コネクタ３００Ｒ-4を示す断面図である。この図２６において、図１５、図２５と対応する部分には同一符号を付し、適宜、その詳細説明は省略する。受信側光コネクタ３００Ｒ-4においては、第２の光学部３５３に形成される光ファイバ挿入孔３６７の径が大きくされる。そして、この光ファイバ挿入孔３６７に、光ファイバ３７０が予め突き当てで固定されたフェルール３６８が挿入され、例えば図示しない接着剤によって固定されている。このような構成とすることで、光ファイバ３７０の先端位置をミラー３８２から一定距離に保つことが容易となる。
【０１０８】
＜２．変形例＞
なお、上述の実施の形態においては、シングルモードの光ファイバを用いる例で説明したが、本技術はマルチモードの光ファイバを用いる場合にも同様に適用でき、また、特定のＮＡに限定されない。また、上述実施の形態におけるミラーは、その他の光路変更部で実現することも考えられる。例えば、屈折率を利用した全反射による光路変更部も考えられる。
【０１０９】
また。上述実施の形態においては、受信側光コネクタ３００Ｒが備えるコネクタ本体３５１が光路調整部３５５を持つ第１の光学部３５２とレンズ３６０を持つ第２の光学部３５３とからなる例を示したが、コネクタ本体３５１を光路調整部３５５とレンズ３６０を持つ１つの光学部で構成することも考えられる。例えば、３Ｄプリンタあるいはそれに類した技術を適用して製造することが考えられる。
【０１１０】
また、上述実施の形態においては、送信側のレンズ３１６がコリメート光に成形する例で説明したが。これに限定されない。図２７は、コリメート光ではなく、収束光（集光方向に曲げられた光）を用いた光結合コネクタについて示している。この図２７において、図３と対応する部分については同一符号を付して示している。
【０１１１】
図２７（ａ）のように、送信側の光ファイバ１５から出射される光を光源とした場合、その光源の位置がずれると、受信側の集光ポイントも大きくずれる（破線参照）。これは、レンズ１１における収束光が崩れて、受信側では斜めにレンズ２１に入力され、集光ポイントがずれるためである。
【０１１２】
しかし、図２７（ｂ）に示すように、受信側のレンズ２１と光ファイバ２５との間の距離が短い場合、光源の位置がずれても、図２７（ａ）の場合に比べて、集光ポイントのずれ量は少なくなる（破線参照）。これにより、送信側のレンズ１１でコリメート光に成形する場合でなくても、受信側のレンズ２１と集光ポイントとの間の距離を短くすることで、送信側での光軸ずれに対する受信側での光パワーの結合ロスを減らすことが可能となる。
【０１１３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【０１１５】
なお、本技術は、以下のような構成もとることができる。
（１）入射された光に対して入射角を維持しながら径が小さくなるように光路調整をする光路調整部と該光路調整部で光路調整された光を集光して受光体に入射するレンズを持つコネクタ本体を備える
光コネクタ。
（２）上記光路調整部は、中心部分に貫通孔を有する
前記（１）に記載の光コネクタ。
（３）上記光路調整部は、光路変更部を含む
前記（１）または（２）に記載の光コネクタ。
（４）上記コネクタ本体は、上記光路調整部を持つ第１の光学部と、上記レンズを持つ第２の光学部とからなる
前記（１）から（３）のいずれかに記載の光コネクタ。
（５）上記受光体は光ファイバであり、
上記コネクタ本体は、上記光ファイバを挿入する挿入孔を有する
前記（１）から（４）のいずれかに記載の光コネクタ。
（６）上記コネクタ本体は、上記挿入孔の底部分に光路を変更するための光路変更部を持ち、上記レンズで集光された光は上記光路変更部で光路変更されて上記光ファイバに入射される
前記（５）に記載の光コネクタ。
（７）上記挿入孔は、上記光ファイバが挿入固定されたフェルールを挿入するための挿入孔である
前記（６）に記載の光コネクタ。
（８）上記受光体は、光信号を電気信号に変換する受光素子である
（１）から（４）のいずれかに記載の光コネクタ。
（９）上記受光素子は上記コネクタ本体に接続されており、
上記レンズで集光された光は光路変更されずに上記受光素子に入射される
前記（８）に記載の光コネクタ。
（１０）上記コネクタ本体は光路を変更するための光路変更部を持ち、
上記受光素子は基板に固定されており、
上記レンズで集光された光は上記光路変更部で光路変更されて上記受光素子に入射される
前記（８）に記載の光コネクタ。
（１１）上記光路調整部に入射される光はコリメート光である
前記（１）から（１０）のいずれかに記載の光コネクタ。
（１２）上記コネクタ本体は光透過性材料からなり、
上記光路調整部および上記レンズを一体的に持つ
前記（１）から（１１）のいずれかに記載の光コネクタ。
（１３）上記コネクタ本体は、上記光路調整部と上記レンズの組み合わせを複数持つ
前記（１）から（１２）のいずれかに記載の光コネクタ。
（１４）上記コネクタ本体は凹状の光入射部を持ち、
上記光路調整部は上記光入射部の底部分に位置する
前記（１）から（１３）のいずれかに記載の光コネクタ。
（１５）上記コネクタ本体は、前面側に、接続相手側のコネクタとの位置合わせをするための凸状あるいは凹状の位置規制部を一体的に持つ
前記（１）から（１４）のいずれかに記載の光コネクタ。
（１６）上記受光体をさらに備える
前記（１）から（１５）のいずれかに記載の光コネクタ。
（１７）プラグとしての光コネクタを有する光ケーブルであって、
上記光コネクタは、
入射された光に対して入射角を維持しながら径が小さくなるように光路調整をする光路調整部と該光路調整部で光路調整された光を集光して受光体に入射するレンズを持つコネクタ本体を備える
光ケーブル。
（１８）レセプタクルとしての光コネクタを有する電子機器であって、
上記光コネクタは、
入射された光に対して入射角を維持しながら径が小さくなるように光路調整をする光路調整部と該光路調整部で光路調整された光を集光して受光体に入射するレンズを持つコネクタ本体を備える
電子機器。
【符号の説明】
【０１１６】
１００・・・電子機器
１０１・・・光通信部
１０２・・・発光部
１０３，１０４・・・光伝送路
１０５・・・受光部
２００Ａ，２００Ｂ・・・光ケーブル
２０１Ａ、２０１Ｂ・・・ケーブル本体
３００Ｔ・・・送信側光コネクタ
３００Ｒ，３００Ｒ-1〜３００Ｒ-4・・・受信側光コネクタ
３１１・・・コネクタ本体
３１４・・・接着剤注入孔
３１５・・・光出射部
３１６・・・レンズ
３１７・・・位置規制部
３２０・・・光ファイバ挿入孔
３２１・・・接着剤
３３０・・・光ファイバ
３３１・・・コア
３３２・・・クラッド
３５１・・・コネクタ本体
３５２・・・第１の光学部
３５３・・・第２の光学部
３５４・・・光入射部
３５５・・・光路調整部
３５６・・・位置規制部
３５７・・・光ファイバ挿入孔
３５８・・・接着剤挿入孔
３５９・・・空間
３６０・・・レンズ
３６１・・・開口部
３６２・・・接着剤
３６３・・・貫通孔
３６５・・・ミラー
３６６・・・受光素子配置孔
３６７・・・光ファイバ挿入孔
３６８・・・フェルール
３７０・・・光ファイバ
３７１・・・コア
３７２・・・クラッド
３８０・・・受光素子
３８１・・・基板
３８２・・・ミラー
【図１】
2020121770.tif 000003
【図２】
2020121770.tif 000004
【図３】
2020121770.tif 000005
【図４】
2020121770.tif 000006
【図５】
2020121770.tif 000007
【図６】
2020121770.tif 000008
【図７】
2020121770.tif 000009
【図８】
2020121770.tif 000010
【図９】
2020121770.tif 000011
【図１０】
2020121770.tif 000012
【図１１】
2020121770.tif 000013
【図１２】
2020121770.tif 000014
【図１３】
2020121770.tif 000015
【図１４】
2020121770.tif 000016
【図１５】
2020121770.tif 000017
【図１６】
2020121770.tif 000018
【図１７】
2020121770.tif 000019
【図１８】
2020121770.tif 000020
【図１９】
2020121770.tif 000021
【図２０】
2020121770.tif 000022
【図２１】
2020121770.tif 000023
【図２２】
2020121770.tif 000024
【図２３】
2020121770.tif 000025
【図２４】
2020121770.tif 000026
【図２５】
2020121770.tif 000027
【図２６】
2020121770.tif 000028
【図２７】
2020121770.tif 000029
【国際調査報告】
2020121770.tif 000030
2020121770.tif 000031
2020121770.tif 000032
2020121770.tif 000033